【事件の表示】
　平成　６年特許願第　７２０２９号「再生装置及び記録装置」拒絶査定不服審判事件〔平成　７年１０月２７日出願公開、特開平　７−２８２５３５〕について、次のとおり審決する。
【結　論】
　本件審判の請求は、成り立たない。
【理　由】
１．手続の経緯
　
　本件の審判請求に係る特許出願（以下「本願」という。）は、平成６年４月１１日を出願日とする出願であって、平成１６年１０月２８日付けで拒絶査定不服の審判請求がなされたものであって、その請求項１乃至１０に係る発明は、平成１６年９月６日付けの手続補正書により補正された明細書及び図面の記載からみて、本願特許請求の範囲１乃至１０に記載されたとおりのものであるところ、その請求項１に係る発明（以下「本願発明」という。）は、次のとおりのものである。
　
「【請求項１】　記録側のメモリ手段が備える第１のメモリにダビングされる第１の情報を再生側のメモリ手段が備える第１のメモリから再生し、前記記録側のメモリ手段が備える第２のメモリにダビングされる第２の情報を前記再生側のメモリ手段が備える第２のメモリから再生する再生手段と、
　前記第１の情報と、前記第２の情報とを一つの出力端子を介して外部に出力するだけでなく、前記第１の情報及び前記第２の情報のダビングを制御するための制御信号を前記出力端子を介して外部に出力する出力手段とを有し、
　前記再生側のメモリ手段が備える第１のメモリは、前記再生側のメモリ手段が備える第２のメモリとは異なる種類のメモリであることを特徴とする再生装置。」
　
２．引用例
　
　これに対し、当審において、平成１９年３月１４日付けの拒絶の理由に引用した、特開平６−６０６０９号公報（以下「引用例１」という。）には、図面と共に、以下の記載がある。なお、下線は当審で付与した。
　
（１）「【０００１】
【産業上の利用分野】本発明は、ビデオテープの番組情報をビデオテープ上に貼られたＩＣメモリや磁気テープや機器本体に内蔵されたメモリにより管理し、番組の頭だしや番組の管理を容易にすることが出来る
磁気記録再生装置
　
（２）「【００１２】ここで、ビデオテープ３に貼られたＩＣメモリ３０１の情報を外部周辺装置に対して出力する場合の動作例を説明する。
ビデオテープ３には図２に示されている番組が録画されており、ＩＣメモリ３０１にはこれに対応した情報がメモリされている
　
（３）「【００１７】（実施例３）以下、本発明のビデオの第３の実施例について、図面を参照しながら説明する。図５は本実施例を示すブロック図である。
【００１８】図５において、前述の第１の実施例と同一構成要素に対しては同一番号を付与して説明を省略する。図中、７０５はビデオ本体部７０７や番組情報を制御する制御部、７０６は使用者が操作する操作部、７０７はビデオ本体部である。９はもう１台のビデオであり、構成要素については、ビデオ１と同じなので、説明を省略する。
８はビデオ９に挿入されているビデオテープである。ビデオテープ８の構成要素については、ビデオテープ３と同じ
【００１９】ここで、
ビデオ１からビデオ９に映像・音声信号をダビングする場合に、自動的に番組情報も、貼られたＩＣメモリに書き込む動作例を説明する
再生機側
記録機側
制御部９０５はビデオ本体部９０７を録画一時停止状態にするとともに、番組情報送信部９０４を通じて、ビデオ１の再生指令と番組情報転送指令をビデオ１に対して出力する。ビデオ１は、この情報を受信するとビデオ本体部７０７を再生すると共に、番組情報送信部１０７を通じて、ビデオ９に対して、再生開始応答を出力する。また、ＩＣメモリ情報読取／書込部１０１に対して、再生を行っている番組に対応した番組情報をＩＣメモリ３０１から読みだし、番組情報記憶部１０２に一時保管した後、番組情報送信部１０７を通じて、番組情報を出力する。ビデオ９はビデオ１からの再生応答を受信すると、録画一時停止を解除し録画を開始する。さらにビデオ１から送信されてくる番組情報を番組情報受信部９０３を通じて受信すると番組情報記憶部９０１に記憶した後、ＩＣメモリ情報読取／書込部９０１がＩＣメモリ８０１に書き込む
【００２０】以上のように本実施例のビデオ装置によれば、
映像と音声のダビングをする時に同時にＩＣメモリ上の番組情報もダビングする
　
　上記摘示事項及び図面の記載を参酌すると、引用例１には、次の発明が記載されているものと認める。
　
「ビデオ本体部９０７を録画一時停止状態にするとともに、番組情報送信部９０４を通じて、ビデオ１（再生機側）の再生指令と番組情報転送指令をビデオ１に対して出力する制御部９０５と、この情報を受信するとビデオ本体部７０７を再生すると共に、番組情報送信部１０７を通じて、ビデオ９（録画機側）に対して、再生開始応答を出力し、また、ＩＣメモリ情報読取／書込部１０１に対して、再生を行っている番組に対応した番組情報をＩＣメモリ３０１から読みだし、番組情報記憶部１０２に一時保管した後、番組情報送信部１０７を通じて、番組情報を出力するビデオ１と、ビデオ１からの再生応答を受信すると、録画一時停止を解除し録画を開始し、さらにビデオ１から送信されてくる番組情報を番組情報受信部９０３を通じて受信すると番組情報記憶部９０１に記憶した後、ＩＣメモリ情報読取／書込部９０１がＩＣメモリ８０１に書き込むビデオ９と、
　を有する磁気記録再生装置。」
　
　同じく、当審の拒絶の理由に引用した、特開平６−６８５９９号公報（以下「引用例２」という。）には、図面と共に以下の記載がある。
　
（４）「【０００５】
【作用】以上のように構成したので、ＣＤ再生装置の操作部により、ダビングの指示を入力すると、前記ＣＤ再生装置が所定の制御信号をＣＤ記録装置に送信するとともに該ＣＤ記録装置の状態を示す信号を受信し、それぞれの装置が所定の状態になった後、ＣＤ記録装置がＣＤのデータを読み出し送信し、ＣＤ記録装置が前記送信されたデータを受信し、書き込み可能なＣＤに前記データを変調したの後のデータを記録する。」
　
（５）「【０００７】図２は、本発明によるＣＤダビングシステムのニーモニック命令と制御コードの表である。２０はニーモニック命令である。２１は１６進表現の制御コードである。尚、ダビングの指示がＣＤ再生装置に入力すると、所定の順番に上記ニーモニック命令の制御コードが制御コード１７として、ＣＤ再生装置より送信され、また、ＣＤ記録装置より応答の制御コード１７が送信される。」
　
　同じく、当審の拒絶の理由に引用した、特開平５−２５８４６３号公報（以下「引用例３」という。）には、図面と共に以下の記載がある。
　
（６）「【００１６】第１のＤＶＴＲ１の制御部１２とインタフェース１４は、記録再生部１３が再生したディジタルビデオ信号、ディジタルオーディオ信号及びコピープロテクト情報を、図５に示されているような所定の長さごとのデータにプロテクトビット群と発信元アドレス、宛先アドレス等からなるコントロールビット群を付加したパケットに変換して、電気／光変換器１５からＡＶバス２７ａに送出する。ここで、発信元アドレスは第１のＤＶＴＲ１、宛先アドレスは第２のＤＶＴＲ２であるが、本実施例のように１対１の通信の場合は、アドレスを省略してもよい。」
　
３．対比
　
　本願発明と引用例１に記載された発明とを対比する。
（１）引用例１に記載された発明の「磁気記録再生装置」は、映像信号と音声信号のダビングをする時に同時にＩＣメモリ上の番組情報もダビングするものであるから、本願発明の「再生装置」と共通するものである。
（２）引用例１に記載された発明における「録画機側」「ビデオテープ」「映像・音声信号」「再生機側」「ＩＣメモリ」及び「番組情報」は、それぞれ、本願発明の「記録側」「第１のメモリ」「第１の情報」「再生側」「第２のメモリ」及び「第２の情報」に相当する。
（３）引用例１に記載された発明において、再生機側は映像・音声信号（第１の情報）及び番組情報（第２の情報）を外部に出力する出力端子を備えていることは、引用例１の図５等を参酌することにより明らかである。
（４）引用例１に記載された発明において、ダビング時、再生機側は、ビデオ本体部７０７を再生にすると共に、ＩＣメモリ３０１から番組情報を読みだすものであるから、引用例１に記載された発明は、本願発明の「再生手段」に相当する構成を備えているといえる。
（５）「ビデオテープ」（第１のメモリ）と「ＩＣメモリ」（第２のメモリ）とは異なる種類のメモリであることは明らかである。
　
　そうすると、本願発明と引用例１に記載された発明とは、次の点で一致する。
　
＜一致点＞
　
「記録側のメモリ手段が備える第１のメモリにダビングされる第１の情報を再生側のメモリ手段が備える第１のメモリから再生し、前記記録側のメモリ手段が備える第２のメモリにダビングされる第２の情報を前記再生側のメモリ手段が備える第２のメモリから再生する再生手段と、
　前記第１の情報と、前記第２の情報とを出力端子を介して外部に出力する出力手段を有し、
　前記再生側のメモリ手段が備える第１のメモリは、前記再生側のメモリ手段が備える第２のメモリとは異なる種類のメモリである再生装置。」
　
　そして、次の各点で相違する。
　
＜相違点＞
　
（ａ）本願発明における「再生装置」は、第１の情報及び第２の情報のダビングを制御するための制御信号を「出力端子を介して外部に出力する」構成であるのに対し、引用例１に記載された発明は、再生指令と番組情報転送指令（ダビングを制御するための制御信号）を受信する構成である点（以下「相違点ａ」という。）。
　
（ｂ）出力手段について、本願発明は、第１の情報と第２の情報とを「１つの出力端子」を介して外部に出力するだけでなく、前記第１の情報及び前記第２の情報のダビングを制御するための制御信号を「前記出力端子」を介して外部に出力するのに対し、引用例１に記載された発明は、そのようになされていない点（以下「相違点ｂ」という。）。
　
４．判断
　
　そこで、上記相違点について検討する。
　
（相違点ａについて）
　引用例２には、再生装置の操作部より、ダビングの指示を入力すると、再生装置が所定の制御信号（ダビング制御信号）を記録装置に送信するものが記載されており、前記再生装置が前記制御信号を出力する出力端子を備えていることは自明のことである。すなわち、引用例２には、再生装置から記録装置へのダビングにおいて、再生装置（再生側）にダビングを制御するための制御信号を出力する出力端子を備えているものが記載されているといえる。
　そうすると、引用例１に記載された発明において、引用例２に記載の技術を適用して、記録機側（記録側）の制御部がダビング開始を指示することに代えて、再生機側（再生側）の制御部がダビング開始を指示する構成とすることは当業者が適宜容易に想到できたものであり、再生機側（再生側）においてダビングを制御するための制御信号を出力する出力端子を設けることは設計的事項にすぎないものである。
　
（相違点ｂについて）
　引用例３には、第１のディジタルＶＴＲと第２のディジタルＶＴＲとをパケット形態のデータに変換してディジタルビデオ信号、ディジタルオーディオ信号及びコピープロテクト情報、すなわち、複数種類の信号を多重化して１本の信号線により伝送するディジタルダビングシステムが記載されている。
　そして、引用例１に記載された発明は、再生機側（再生側）から録画機側（記録側）に映像・音声信号（第１の情報）と番組情報（第２の情報）を同時にダビングするものであり、また、映像・音声信号（第１の情報）と番組情報（第２の情報）とを同一の出力端子を介して出力させることを阻害する要因もないのであるから、引用例１に記載された発明において、引用例３に記載された技術を適用して、再生機側（再生側）に映像・音声信号（第１の情報）、番組情報（第２の情報）及びダビングを制御するための制御信号をパケット形態のデータに変換し、一つの出力端子を介して外部に出力する構成とすること、すなわち、第１の情報と第２の情報とを「１つの出力端子」を介して外部に出力するだけでなく、第１の情報及び第２の情報のダビングを制御するための制御信号を、「前記出力端子」を介して外部に出力する構成とすることは当業者が容易に想到できたものである。
　
　そして、上記各相違点を総合的に判断しても、本願発明が奏する効果は引用例１ないし３に記載のものに基づいて、当業者が十分に予測できたものであって、格別なものとはいえない。
　
５．むすび
　
　以上のとおり、本願の請求項１に係る発明は、引用例１ないし３に記載された発明に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。